(57)【要約】【課題】  パルセータを備えた洗濯機において、衣類の摩擦による布傷みや布絡みを少なくする。【解決手段】  洗濯兼脱水槽３と該洗濯兼脱水槽３の底部に設けられたパルセータ５と、前記洗濯兼脱水槽３を内包して洗濯水をためる外槽２と、前記洗濯兼脱水槽３と前記パルセータ５とを回転駆動する駆動装置１５を備えた洗濯機において、前記パルセータ５は円盤形状をしており、その表面部に複数個の凸形状羽根１０を有するとともに、凸形状羽根１０間に凸形状羽根１０をなだらかに結んで形成された谷部１３に凹形状１１を形成する。【選択図】図２
2010017366.tif 000002
【特許請求の範囲】
【請求項１】
洗濯兼脱水槽と該洗濯兼脱水槽の底部に設けられた回転体と、前記洗濯兼脱水槽を内包して洗濯水をためる外槽と、前記洗濯兼脱水槽と前記回転体とを回転駆動する駆動装置を備えた洗濯機において、前記回転体は円盤形状をしており、その表面部に複数個の凸形状羽根を有するとともに、該凸形状羽根をなだらかに結んで形成された谷部に凹形状を形成したことを特徴とする洗濯機。
【請求項２】
請求項１記載の洗濯機において、前記回転体は中心から外周部に向かって皿形状をした円盤形状としたことを特徴とする洗濯機。
【請求項３】
洗濯兼脱水槽と該洗濯兼脱水槽の底部に設けられた回転体と、前記洗濯兼脱水槽を内包して洗濯水をためる外槽と、前記洗濯兼脱水槽と前記回転体とを回転駆動する駆動装置を備えた洗濯乾燥機における洗濯乾燥機用回転体において、
前記回転体は円盤形状をしており、その表面部に複数個の凸形状羽根を有するとともに、該凸形状羽根をなだらかに結んで形成された谷部に凹形状を形成したことを特徴とする洗濯乾燥機用回転体。
【発明の詳細な説明】
【技術分野】
【０００１】
この発明は洗濯物に機械力を付与するパルセータを有する洗濯機または洗濯乾燥機に関する。
【背景技術】
【０００２】
洗濯兼脱水槽を縦型に配置した電気洗濯機は、その洗濯兼脱水槽の回転中心にパルセータを設け、このパルセータの回転で洗濯兼脱水槽内の水流を攪拌することで洗濯兼脱水槽内の衣類の洗濯を可能としている。このパルセータは円盤の中央から放射状に形成される凸状の複数のリブを備えている。従来のパルセータは、洗濯兼脱水槽内に満たした水をパルセータにより撹拌し、その撹拌される水流により衣類の洗浄を行う方式である。
【０００３】
また、近年の新形パルセータにおいては特許文献１や２に開示されているように、回転中心部から放射状に形成される複数の突起部と、この突起部の間に形成される谷部とから構成し、前記突起部は回転中心から外周方向に徐々に隆起する形状となっている。
【０００４】
また、前記中心から所定の位置に離れた円周の断面形状を展開したときに、前記パルセータの表面は、突起部から徐々に谷部に至り、谷部から徐々に突起部に至る波形状で、谷部は突起部間をなだらかに結んだ形状か、谷部に前記突起部より低い突起部を備えたパルセータがある（特許文献３参照）。
【０００５】
【特許文献１】特開２００５−８０９４６号公報
【特許文献２】特開２００５−８１１０２号公報
【特許文献３】特開２００５−８７５７９号公報
【発明の開示】
【発明が解決しようとする課題】
【０００６】
前記の従来のパルセータは、その複数の隆起部によって生じる水流により衣類を洗濯するが、パルセータによって洗濯槽内の水に旋回力を与え、それによって衣類を攪拌することで、衣類の洗浄を行うことを主眼としているため、衣類に対して十分な水量が必要である。水量が少ないとパルセータ内のリブに衣類が衝突し、その時の衝撃や表面の摩擦により、衣類が傷む不具合が生じていた。また、洗濯槽内の水が豊富に使えた場合であっても、うずまき式の旋回力だけを重視した洗い方の動作を長時間継続すると、この機械力により衣類と衣類の摩擦で、衣類が傷みやすい問題があった。
【０００７】
また、洗濯槽を縦型に配置した電気洗濯機に乾燥機能を備えたものが脚光を浴びている。これらの乾燥洗濯機では、このパルセータを回転槽に水を入れない状態で回転させるため、衣類の攪拌が起こりにくく、衣類が絡んで団子状態になるという欠点があった。
【０００８】
一方、近年の新形パルセータにおいては隆起部から徐々に谷部に至り、谷部から徐々に隆起部に至る波形状の特徴を備えたパルセータを有し、上下方向の振動を容易に与えることができるが、前期パルセータのような凸部がなく表面の摩擦が極めて少ないことから、前記パルセータの旋回力が弱く衣類を適度に分散することが困難である。その結果、衣類と衣類の間に付着した糸くずを取り除くことが困難であった。
【課題を解決するための手段】
【０００９】
本発明は、洗濯兼脱水槽と該洗濯兼脱水槽の底部に設けられた回転体と、前記洗濯兼脱水槽を内包して洗濯水をためる外槽と、前記洗濯兼脱水槽と前記回転体とを回転駆動する駆動装置を備えた洗濯機において、前記回転体は円盤形状をしており、その表面部に複数個の凸形状羽根を有するとともに、該凸形状羽根をなだらかに結んで形成された谷部に凹部形状を形成したものである。
【発明の効果】
【００１０】
本発明によれば、パルセータの最上部となる回転中心部から円周状に形成される凸形状羽根と凸形状羽根間に形成した凹形状部による段差の二つの段差により、洗濯兼脱水槽に投入される衣類に、（１）一般的な旋回力で実現される衣類の水平攪拌動作、（２）衣類を上下方向に振動させて、衣類をたたき洗いする動作、（３）通常の固定された洗濯槽を固定しないフリー状態にしてパルセータを回転させて得られる衣類の上下の入れ替わり動作を実施することができる。
【００１１】
さらに、これらの様々な動きを一つの洗濯行程内で複合的に実施することで、良好な洗浄性能と乾燥時の布ほぐし性能を備え持つ最適な洗濯機を提供することができる。
【発明を実施するための最良の形態】
【００１２】
本発明を図１の全自動洗濯機を例にとって説明する。図１に示す如く、外枠１の内部に外枠１に吊棒部組品６によって吊り下げられた外槽２を有し、外槽２内には、上部にバランスリング４が締結された洗濯兼脱水槽３を有し、その洗濯兼脱水槽３の底部の中心部にはパルセータ５が駆動装置１５の軸に取り付けられている。本実施例の前記駆動装置１５は、減速クラッチ装置８とモータ７，ベルト１２等で構成されており、減速クラッチ装置８は外槽２底部に取り付けられており、ベルト１２を介して駆動用のモータ７回転が伝達される構造となっている。外槽２には更に外槽内の水を排水するための排水装置９が取り付けられている。
【００１３】
このように配設したパルセータ５の形状と動作について説明する。
【００１４】
洗濯兼脱水槽３に洗濯物をいれ、標準コースを選んでスタートボタン（図示せず）を押すと、外槽２内に規定の水量が給水され、モータ７に通電され、洗いを開始する。このとき減速クラッチ装置８は「洗い」側になっており、モータ５の回転は減速クラッチ装置８を介してパルセータ５のみに伝達され（洗濯兼脱水槽は固定状態）、約１５０ｒ／minにてパルセータ５が時計方向／反時計方向回転に休止時間を挟んで間欠的に規定時間回転する。その後減速クラッチ装置８を洗濯兼脱水槽３フリー状態に切り替え、洗濯兼脱水槽３をフリー状態にしてパルセータ５を回転させる「槽フリー洗い」を規定時間実行する。
【００１５】
パルセータ５は円盤形状をしており、回転中心部から外周部にかけて放射状に谷部１３を形成し皿形状とした構成となっている。この谷部１３には回転中心部から外周部に向かう４個の放射上の凸形状羽根１０を形成する。そして、それぞれの凸形状羽根１０間の谷部１３には、凸形状羽根１０と逆方向に設けた凹形状１１を形成している。パルセータ５の回転中心部から円周状に形成される凸形状羽根１０で衣類を攪拌する動作を発生させ、さらにパルセータ５の凸形状羽根１０間に設けた凹形状１１による段差によって衣類を攪拌する動作を発生させる。この二つの攪拌作用により多種多様な水流を発生させ、衣類の効果的な洗浄作用が可能となる。
【００１６】
さらに、前述の「槽フリー洗い」運転により洗濯槽とパルセータの相対運動により、従来の衣類の動きとは別に衣類を洗濯する際に必要な上下方向の衣類の入れ替わりを発生させることもできる。
【００１７】
洗い工程が終了するとモータ７が停止し、排水装置９が動作して外槽２内の洗濯水を排水する。排水が完了すると再びモータ７に通電され、減速クラッチ装置８が脱水に切り替わってモータ７の回転が洗濯兼脱水槽３に伝達され約９００ｒ／minで回転させ脱水運転を開始する。
【００１８】
規定時間脱水運転を完了後、ブレーキ装置（図示せず）が作動して、洗濯兼脱水槽３の回転を停止させる。その後洗濯兼脱水槽３を低速回転（約２００ｒ／min）で間欠的に回転させ、脱水運転時に洗濯兼脱水槽３に貼りついた洗濯物を洗濯兼脱水槽３からはがす。
【００１９】
さらに、乾燥行程があるときは、規定時間洗濯兼脱水槽３を回転させたあと減速クラッチ装置８を「洗い」に切り替え、パルセータ５を回転させ洗濯物をほぐしながら温風を供給して乾燥運転を開始する。このときパルセータ５の凸形状羽根１０とパルセータ５の凹形状１１による２つの段差によって効果的な洗濯物をほぐす動作を行うことができ、乾燥完了時にしわの少ない仕上がりを提供できる。
【００２０】
本発明では、パルセータのベースを皿形状とした円盤形状の回転中心部から円周上にかけて放射状に複数個の凸形状リブを形成した全体構成となっている。そして、それぞれの凸形状リブ間の谷部にさらに凹形状を形成したものとしている。パルセータの断面形状で説明すると、パルセータの最上部となる回転中心部から円周状に形成される凸形状リブとベースの谷部との段差で衣類を攪拌する動作を発生させる。さらにベースの谷部内に形成される凹形状によって段差が生じ衣類を攪拌する動作を発生させる。この二つの段差により従来技術の２種類のパルセータの効果である水の旋回力で衣類を洗濯する方式と上下方向の振動を与えて衣類を洗濯できる方式を同時に備え持ったパルセータを提供することができる。
【図面の簡単な説明】
【００２１】
【図１】本発明の一実施例のパルセータを備えた洗濯機の本体断面図である。
【図２】本発明の一実施例のパルセータを示す外観斜視図である。
【図３】本発明の一実施例のパルセータを示すＰから見た図である。
【符号の説明】
【００２２】
１  外枠
２  外槽
３  洗濯兼脱水槽
４  バランスリング
５  パルセータ
６  吊棒部組品
７  モータ
８  減速クラッチ装置
９  排水装置
１０  凸形状羽根
１１  凹形状
１２  ベルト
１３  谷部
１５  駆動装置
【図１】
2010017366.tif 000003
【図２】
2010017366.tif 000004
【図３】
2010017366.tif 000005